(57)【要約】【課題】ゴミ箱にゴミ袋を取りつけて使用するとき、取りつけたゴミ袋の袋口部分や手提げ部分がじゃまにならず、がさばらず、見栄えが良いゴミ箱にすること。【解決手段】ゴミ箱を本体部と上枠部に分離し、本体部の上縁に上枠部を取りつけたままゴミ袋を取りつけ、ゴミ袋の袋口部分や手提げ部分を外側に折り返したあと、上枠部を本体部の上縁から少し浮かせて隙間を作り、隙間から袋口部分と手提げ部分をゴミ箱の本体部の内部に折り込んで収容することにより、ゴミ箱にゴミ袋を取りつけても見栄えが良く、ゴミ箱の外側でゴミ袋が、かさばって、じゃまになることもなくなる。【選択図】　　図１
2004091203.tif 000002
【特許請求の範囲】
【請求項１】
ゴミ箱の本体部（１）から上枠部（３）を分離できるようにする。本体部（１）の上縁（２）に上枠部（３）を取りつけたまま、スーパーの買物ビニール袋などをゴミ袋（４）を上枠部（３）から被せ取りつけたあと、ゴミ袋（４）の袋口部分（５）や手提げ部分を外側に折り返し、上枠部（３）を本体部（１）の上縁（２）から上に少し浮かせることで、本体部（１）と上枠部（３）の間に隙間を作り出し、その隙間から上枠部（３）を覆うように巻き付かせながらゴミ袋（４）の袋口部分（５）からゴミ箱の本体部（１）の内部に折り込むように収容してから上枠部（３）をもとの本体部（１）の上縁（２）に取りつけることで、ゴミ箱の本体部（１）にゴミ袋（４）を取りつけて使用するとき、ゴミ袋（４）の袋口部分（５）や手提げ部分がゴミ箱の本体部（１）の内側に折り込まれているので、すっきりと見栄えよく使用できる主に家庭や事務所店舗で使用されるゴミ箱。
【発明の詳細な説明】
【０００１】
【発明の属する技術分野】
本発明は、ゴミ箱にスーパーのビニール買物袋などの、ゴミ袋を被せて使用する際に、ゴミ箱を本体部と上枠部で分離できるように為しておくことにより、ゴミ袋をゴミ箱の本体部に被せて、上枠部を浮かせゴミ袋の袋口部分や手提げ部分をゴミ箱の本体部の内側に折り込んで上枠部をもとに戻すことで見た目にすっきりとした見栄えよく使用できるように為された主に家庭や事務所店舗において使用されるゴミ箱に関する。
【０００２】
【従来の技術】
従来は、ゴミ箱の上部の開放している所からゴミ袋を押し込み、ゴミ袋の袋口部分をゴミ箱の上縁部から外側に折り返していたため、ゴミ箱の外側にゴミ袋の袋口部分や手提げ部分がだらしなく垂れ下がっていたので、見栄えが悪く、ゴミ箱の外側に絵が描かれていてもゴミ袋で覆い隠していてしまわざるを得なかった。また、ゴミ箱の外側に折り返されたゴミ袋の手提げ部分を引っ掛けてゴミ箱を倒してしまうこともあり、ゴミ箱の上からゴミ袋を被せて使用してもすっきりと見栄えよく使用できるゴミ箱が求められていた。
【０００３】
【発明が解決しようとする課題】
ゴミ箱の内側にゴミ袋を被せておくと、ゴミでゴミ箱が一杯になればゴミ袋を引き上げるだけで一度にゴミを捨てることができ便利であるので、特に、家庭や事務所のゴミ箱でゴミ袋を被せて使用することが多いのであるが、ゴミ袋はゴミ箱に合わせた大きさになっていないのでゴミ箱の上縁部からゴミ箱の外側にゴミ袋を折り返して取りつけることが多く、ゴミ袋がゴミ箱より大きすぎる場合は、外に折り返したゴミ袋がかさばって見栄えが悪かった。また、汚いイメージのゴミ箱を少しでもなごませるためにゴミ箱の外側に絵が描かれているゴミ箱の場合、折角描かれた絵が、外に折り返したゴミ袋で隠れてしまうのであった。さらに、スーパーなどのビニール買物袋などを、ゴミ袋として使用することが多いが、袋口部や手提げ部分がかさばって見苦しい上に、手提げ部分を引っ掛けてゴミ箱を倒して中のゴミをばらまくこともあり、ゴミ箱にゴミ袋を取りつけても、見た目にすっきりと見栄えよく、ゴミ箱の外側にゴミ袋がかさばらないようなゴミ箱が求められていた。
【０００４】
【課題を解決するための手段】
ゴミ箱の本体部と上枠部を分離できるようにし、本体部に上枠部を取りつけたままゴミ袋をゴミ箱の中に押し込むようにして取りつけ、ゴミ袋の袋口部分をゴミ箱の上枠部の上から外側に折り返してから上枠部を本体部から少し上に浮かせる。上枠部を少し浮かせることで上枠部と本体部の間に隙間ができるのでその隙間からゴミ袋の袋口部分を上枠部と本体部にできた隙間に沿って、上枠部を巻き付けるようにゴミ箱の内側に折り込んで行き、最後に浮かせていた上枠部をもとの本体部の上に取りつけることにより、ゴミ箱にゴミ袋を取りつけたとき、ゴミ箱の外側に折り返したゴミ袋の袋口部分や手提げ部分がじゃまにならず、かさばらず、ゴミ箱の外側に描かれた絵も隠すことがない、すっきりと見栄えもおかしくないゴミ箱となるのである。
【０００５】
【発明の実施の形態】
本発明は、ゴミ箱にゴミ袋を取りつけて使用するときに、ゴミ箱の外側に折り返したゴミ袋の袋口部分や手提げ部分がじゃまにならず、かさばらず、すっきりと見栄えよく使用できるように為されたゴミ箱である。
【０００６】
取りつけたゴミ袋の袋口部分や手提げ部分をゴミ箱の内部に折り込んで収容できるようにするため、ゴミ箱を本体部と上枠部に分離できるようにするのである。
【０００７】
ゴミ箱は、ゴミを入れるために解放されている本体部と、上枠部とが分離できるようにするのである。
【０００８】
上枠部の高さ方向や横幅方向の厚みは、薄くしすぎると強度が弱く、ゴミ袋の袋口部分を巻つけてからゴミ箱の内部に折り込みにくくなるので、強度を維持できる位の上枠部の厚み幅を有していると効果的である。
【０００９】
上枠部の高さ方向や横幅方向の厚みは、厚み幅を取りすぎていると、ゴミ袋の袋口部分を、上枠部に巻きつけてゴミ箱内部に折り込むとき、ゴミ袋の長さが足りなくなり袋口部分を内側に折り込めなくなることもあるので、上枠部の厚み幅は、使用するゴミ箱やゴミ袋の大きさを考慮して決めると効果的である。
【００１０】
上枠部の高さ方向や横幅方向の厚みは、どのような厚み幅を有していても良いのであるが、使い勝手を考慮してある程度の厚み幅を有していた方が便利である。
【００１１】
上枠部は、ゴミ箱が円筒形状であれば輪投げの輪のような形状になり、四角筒形状であれば、四角い輪切り形状になるのである。
【００１２】
上枠部は、ゴミ袋が巻き付いていないときもあるので、本体部上縁に上枠部を乗せたとき、乗せた上枠部の方が大きすぎたり、小さすぎたりして、本体部上縁からずれないように寸法を合わせておくと、本体部からずれ落ちなくなるので便利である。
【００１３】
上枠部を本体部上縁に乗せたとき、容易にずれないように、上枠部が接触する本体部上縁部分を細工して嵌め合わせることができるようにすると効果的である。
【００１４】
ゴミ箱にゴミ袋を取りつけて使用するときに、上枠部を本体部から分離できるようにすると言うことは、本体部と上枠部を製造時において分離しておく方法でも良く、あとからゴミ箱の本体部上縁に合わせて上枠部を取りつける方法でも同じ効果が得られるのであり、ゴミ箱を使用するとき、本体部と上枠部に分離して使用できればどちらでも良いのである。
【００１５】
【実施例】
実施例について図面を参照して説明すると、図１において、ゴミ箱の本体部（１）上縁（２）に上枠部（３）を乗せて使用し、本体部（１）と上枠部（３）は分離できるような構造としておく。
【００１６】
図２では、本発明の分解図を示す図であり、ゴミ箱は、下側の本体部（１）と、上側の上枠部（３）に分離することができ、分離するときは、上枠部（３）を本体部（１）から引き離すように上方向に引き上げるのである。
【００１７】
図３では、本発明の取りつけ方法を示す図であり、床の上に置かれたゴミ箱の本体部（１）の中へ、スーパーのビニール買物袋などのゴミ袋（４）を取りつけ、本体部（１）から上枠部（３）を浮かせることで、本体部（１）上縁（２）と上枠部（３）の間に隙間を作る。ゴミ箱の本体部（１）に取りつけたゴミ袋（４）のうち、ゴミ箱の本体部（１）からはみ出ししている袋口部分（５）や手提げ部分を外に折り返すのであるが、折り返しながら、浮かせた上枠部（３）に巻きつけるようにして、本体部（１）上縁（２）との間に作った隙間からゴミ箱の本体部（１）の内部に折り込んで行き、最後に、本体部（１）上縁（２）に上枠部（３）を乗せるのである。
【００１８】
図４では、本発明の使用状態を示す図であり、ゴミ袋（４）の袋口部分（５）や手提げ部分は本体部（１）上縁（２）と上枠部（３）の隙間からゴミ箱の本体部（１）の内部へ折り込むことにより、取りつけたゴミ袋（４）がゴミ箱の本体部（１）の外側でだぶついて、かさばることもなくなるのであり、ゴミ箱の本体部（１）内部からゴミ袋（４）を取るときは、上枠部（３）を引き上げて取り外したあと、ゴミ袋（４）を本体部（１）からゴミごとゴミ袋（４）を抜き取れば良く、再びゴミ袋（４）を取りつければ繰り返し使用ができるのである。
【００１９】
図５で示すように、ゴミ箱の本体部（１）に嵌合部（６）等を設け本体部（１）上縁（２）と上枠部（３）の接続部分を嵌合形状態とすることで、本体部（１）と上枠部（３）は、嵌め合わされ容易にズレなくなり効果的である。
【００２０】
本発明は、使用時に、ゴミ箱を本体部（１）と上枠部（３）に分離することで、本体部（１）の上縁（２）と、上枠部（３）の間に隙間を作ることができれば、ゴミ箱を製造する際に本体部（１）と上枠部（３）を分離しておいても、上枠部（３）をあとから供給して、本体部（１）に取りつけられるようにしてもどちらでも良いのである。
【００２１】
【発明の効果】
本発明は、以上述べて来たような内容で実施され、以下に記載されるような効果を奏する。
【００２２】
本発明は本体部と上枠部を分離できるように為して提供されるゴミ箱であり、本体部と上枠部を分離できるようにすることにより、ゴミ箱の内側にスーパーのビニール買物袋などのゴミ袋を取りつけたとき、ゴミ箱の外側に折り返され、袋口部分や手提げ部分を中に折り込むことができるようになり、ゴミ箱にゴミ袋を取りつけてもすっきり、見栄えが良くなるのである。
【００２３】
室内を綺麗に片づけても、従来は、ゴミ箱から折り返したゴミ袋の袋口部分や手提げ部分がかさばってしまいゴミ箱だけが浮いて汚らしい感じがしたが、本発明を使用することによりゴミ箱にゴミ袋を取りつけても見栄えは悪くなくなるのである。
【００２４】
ゴミ箱にスーパーのビニール買物袋をゴミ袋として取りつけておくと、ゴミ袋を引き上げれば一度にゴミ箱の中のゴミを捨てることができ便利であったが、ゴミ箱に取りつけたゴミ袋ががさばって見栄えが悪かったので、使用することをためらったっていた人も安心して使用できるようになるのである。また、見栄えを気にせずにゴミ袋を使用することによってゴミ箱の底部の汚れが少なくなり、たびたびゴミ箱を水洗いしなくとも従来に比べて衛生的になるのである。
【００２７】
ゴミ箱にスーパーのビニール買物袋をゴミ袋としてに取りつけても、袋口部分だけでなく、手提げ部分も中に折り込むことができるようになるので、従来のように、ゴミ箱の外側に折り返された手提げ部分を引っ掛けてゴミ箱を倒してしまい、中のゴミをばらまくような事故はなくなるのである。
【００２８】
ゴミ箱の外側側面に折角絵など描かれていても従来は、取りつけたゴミ袋をゴミ箱の外側に折していたのでゴミ袋の袋口部分や手提げ部分に隠されていたのであるが、本発明を使用することによって、ゴミ箱の内部に折り込むことができるようになるので、側面に描かれた絵などもみることができ、インテリアの一部をして機能させることができるようになるので効果的である。
【００２９】
本発明は、ゴミ箱として使用されるような箱状物の本体部と上枠部に分離できるように為して提供するものなので、従来の製造工程を著しくかえることなく使用でき、従来の製造コストから著しくアップせずに加工できるので効果的である。
【００３０】
ゴミ箱として使用するとき、上枠部を分離することができればどのような素材にも応用でき便利である。
【００３１】
ゴミ箱として使用するとき、上枠部を分離することができればどのような大きさ、形状のものでも応用でき便利である。
【００３２】
ゴミ箱以外に使用される箱状容器と内袋材の組み合わせで使用するときも応用することができ便利である。
【００３３】
本発明は、新たに製造されるゴミ箱として、本体部から上枠部が分離できるようにして製造され提供される以外に、すでに製造されたゴミ箱に合わせた上枠部を新たに製造して提供することで、消費者に、従来のゴミ箱に取りつけて本体部と上枠部を分離させて使用させることもでき便利である。
【図面の簡単な説明】
【図１】本発明の実施例図である。
【図２】本発明の分解図である。
【図３】本発明の取りつけ図である。
【図４】本発明の使用状態を示す図である。
【図５】本発明の参考実施例図である。
【符号の説明】
１　本体部
２　上縁
３　上枠部
４　ゴミ袋
５　袋口部部
６　嵌合部
【図１】
2004091203.tif 000003
【図２】
2004091203.tif 000004
【図３】
2004091203.tif 000005
【図４】
2004091203.tif 000006
【図５】
2004091203.tif 000007